(57)【要約】【課題】吸収性物品の装着を容易とする。【解決手段】パンツタイプの吸収性物品では、吸収体２と外装シート４との間の２つの第２接合領域６２において、吸収体２が外装シート４の前方部４０１および後方部４０３のそれぞれの下端部に接合されており、当該下端部において、第２接合領域６２の左右両側に吸収体２と外装シート４とが非接合とされる領域が設けられる。これにより、吸収体２の前方部４０１と後方部４０３との間の左右両側の部位を容易に変形して脚部開口の周長を大きくすることができるため、吸収性物品の装着時に、脚部開口に脚を容易に挿入することができる。また、２つの第１接合領域６１において、吸収体２が全幅に亘って外装シート４に接合されることにより、吸収性物品の装着時に胴部開口から挿入された足先が吸収体２に引っ掛かってしまうことを防止することができる。その結果、吸収性物品の装着を容易とすることができる。【選択図】図５
2008194161.tif 000002
【特許請求の範囲】
【請求項１】
上端に胴部開口を有し、下部に一対の脚部開口を有するパンツタイプの吸収性物品であって、
着用者の腹側および背側の肌に接する前方部および後方部を有し、前記前方部の左右両側の部位が前記後方部の左右両側の部位にそれぞれ接合された筒状の外装シートと、
前記外装シートの着用者側において前記外装シートの下側の開口を跨いで前記前方部および前記後方部に接合され、前記外装シートの下端から下側に突出するとともに着用者の股間部に対向して前記着用者からの排泄物を吸収する吸収体と、
を備え、
前記外装シートと前記吸収体との間に、前記吸収体の長手方向の両端部が左右方向の全幅に亘って前記前方部および前記後方部に接合される２つの第１接合領域と、前記吸収体の一部が前記前方部および前記後方部のそれぞれの下端部に接合される２つの第２接合領域とを有し、
前記前方部の前記左右両側の部位と前記後方部の前記左右両側の部位とを分離して伸張した状態において、前記２つの第２接合領域のそれぞれの前記左右方向の両側において、前記外装シートと前記吸収体とが非接合とされることを特徴とする吸収性物品。
【請求項２】
請求項１に記載の吸収性物品であって、
前記２つの第２接合領域のそれぞれの前記左右方向の幅が、前記吸収体の前記左右方向の幅の１５％以上６０％以下とされることを特徴とする吸収性物品。
【請求項３】
請求項１または２に記載の吸収性物品であって、
前記前方部および前記後方部のそれぞれが略長方形状であることを特徴とする吸収性物品。
【請求項４】
請求項１ないし３のいずれかに記載の吸収性物品であって、
胴部開口のエッジに沿って前記外装シートに接合されるとともに収縮することにより胴部開口ギャザーを形成する胴部弾性部材と、
前記外装シートの下側の前記開口に沿って接合されるとともに収縮することにより脚部開口ギャザーを形成する脚部弾性部材と、
を備え、
前記脚部弾性部材が、前記２つの第２接合領域のそれぞれの左右両側に設けられることを特徴とする吸収性物品。
【請求項５】
請求項１ないし４のいずれかに記載の吸収性物品であって、
前記２つの第２接合領域がそれぞれ、前記２つの第１接合領域のそれぞれと前記外装シートの下端部との間において、上下方向に連続して設けられることを特徴とする吸収性物品。
【請求項６】
請求項５に記載の吸収性物品であって、
前記２つの第２接合領域のそれぞれの前記左右方向の幅が、前記上下方向において一定であることを特徴とする吸収性物品。
【請求項７】
請求項５に記載の吸収性物品であって、
前記２つの第２接合領域のそれぞれの前記左右方向の幅が、前記上下方向において前記第１接合領域から離れるに従って漸次減少することを特徴とする吸収性物品。
【請求項８】
請求項７に記載の吸収性物品であって、
前記上下方向に配列されて前記左右方向に沿って前記前方部および前記後方部のそれぞれに接合されるとともに収縮することにより胴回りギャザーを形成する複数の胴回り弾性部材をさらに備え、
前記複数の胴回り弾性部材のそれぞれが、前記２つの第２接合領域を避け、
前記複数の胴回り弾性部材の複数の端部が、前記２つの第２接合領域のいずれか一方の左右両側において前記吸収体と重なるとともに前記上下方向において第１接合領域から離れるに従って前記左右方向の中心側に近づくことを特徴とする吸収性物品。
【請求項９】
請求項１ないし８のいずれかに記載の吸収性物品であって、
前記吸収体の前記着用者側において前記左右方向の両側のエッジに沿って設けられた一対の側壁部をさらに備えることを特徴とする吸収性物品。
【発明の詳細な説明】
【技術分野】
【０００１】
本発明は、上端に胴部開口を有し、下部に一対の脚部開口を有するパンツタイプの吸収性物品に関する。
【背景技術】
【０００２】
従来より、着用者からの排泄物を受ける使い捨ておむつの１つとしてパンツタイプのものが利用されている。特許文献１および特許文献２では、吸収性パッド（パネル）の長手方向の両端部に固着された２枚のシート状部材（第１アウターシートおよび第２アウターシート）の幅方向の両側の部位を固着することにより形成されるパンツ型の使い捨て着用物品が開示されている。
【０００３】
特許文献１および特許文献２の着用物品では、各アウターシートが、着用者の胴回りに対向する胴回り域、および、胴回り域の下側において着用者の股下部の一部を覆う股下域を備えており、股下域は、胴回り域から下側に向かうに従って幅が減少する略台形状とされる。そして、吸収性パッドの幅方向の両側において、２枚のアウターシートの股下域のエッジ、および、吸収性パッドのエッジにより、一対の脚回り開口が形成される。
【０００４】
特許文献１および特許文献２の着用物品では、吸収性パッドの長手方向の両端部、および、各アウターシートの股下端部と重なる部位が、接着剤によりアウターシートに固着されており、吸収性パッドのその他の部位はアウターシートに固着されていない。
【０００５】
特許文献１の着用物品では、吸収性パッドとアウターシートが固着される部位において、吸収性パッドの全幅に亘って接着領域が設けられており、特許文献２の着用物品では、吸収性パッドの幅方向の中央部のみに接着領域が設けられている。また、特許文献２の着用物品では、吸収性パッドの両側に設けられた一対の防漏フラップの頂部に長手方向に伸びる吊持ベルトが固着されており、吊持ベルトの両端部が吸収性パッドの長手方向の両端部よりも外側においてアウターシートに固着されることにより、防漏フラップの確実な起立が図られている。
【特許文献１】特開２００３−２９０２８４号公報
【特許文献２】特開２００２−３３６３０３号公報
【発明の開示】
【発明が解決しようとする課題】
【０００６】
ところで、特許文献１の着用物品では、吸収性パッドにおいてアウターシートの股下端部と重なる部位が全幅に亘ってアウターシートに固着されているため、脚部開口近傍における吸収性パッドの動きが制限されてしまい、脚部開口の周長を大きく確保することができない。このため、着用物品の装着時に脚部開口に脚を容易に挿入できず、円滑に着用物品を装着することができない恐れがある。
【０００７】
また、特許文献２の着用物品では、吸収性パッドの両端部において幅方向の中央部のみがアウターシートに固着されており、幅方向の両端部（すなわち、吸収性パッドの角部）が固着されていない。このため、着用物品の装着時に胴部開口から挿入された足先が吸収性パッドに引っ掛かってしまい、円滑に着用物品を装着することができない恐れがある。
【０００８】
本発明は、上記課題に鑑みなされたものであり、吸収性物品の装着を容易とすることを目的としている。
【課題を解決するための手段】
【０００９】
請求項１に記載の発明は、上端に胴部開口を有し、下部に一対の脚部開口を有するパンツタイプの吸収性物品であって、着用者の腹側および背側の肌に接する前方部および後方部を有し、前記前方部の左右両側の部位が前記後方部の左右両側の部位にそれぞれ接合された筒状の外装シートと、前記外装シートの着用者側において前記外装シートの下側の開口を跨いで前記前方部および前記後方部に接合され、前記外装シートの下端から下側に突出するとともに着用者の股間部に対向して前記着用者からの排泄物を吸収する吸収体とを備え、前記外装シートと前記吸収体との間に、前記吸収体の長手方向の両端部が左右方向の全幅に亘って前記前方部および前記後方部に接合される２つの第１接合領域と、前記吸収体の一部が前記前方部および前記後方部のそれぞれの下端部に接合される２つの第２接合領域とを有し、前記前方部の前記左右両側の部位と前記後方部の前記左右両側の部位とを分離して伸張した状態において、前記２つの第２接合領域のそれぞれの前記左右方向の両側において、前記外装シートと前記吸収体とが非接合とされる。
【００１０】
請求項２に記載の発明は、請求項１に記載の吸収性物品であって、前記２つの第２接合領域のそれぞれの前記左右方向の幅が、前記吸収体の前記左右方向の幅の１５％以上６０％以下とされる。
【００１１】
請求項３に記載の発明は、請求項１または２に記載の吸収性物品であって、前記前方部および前記後方部のそれぞれが略長方形状である。
【００１２】
請求項４に記載の発明は、請求項１ないし３のいずれかに記載の吸収性物品であって、胴部開口のエッジに沿って前記外装シートに接合されるとともに収縮することにより胴部開口ギャザーを形成する胴部弾性部材と、前記外装シートの下側の前記開口に沿って接合されるとともに収縮することにより脚部開口ギャザーを形成する脚部弾性部材とを備え、前記脚部弾性部材が、前記２つの第２接合領域のそれぞれの左右両側に設けられる。
【００１３】
請求項５に記載の発明は、請求項１ないし４のいずれかに記載の吸収性物品であって、前記２つの第２接合領域がそれぞれ、前記２つの第１接合領域のそれぞれと前記外装シートの下端部との間において、上下方向に連続して設けられる。
【００１４】
請求項６に記載の発明は、請求項５に記載の吸収性物品であって、前記２つの第２接合領域のそれぞれの前記左右方向の幅が、前記上下方向において一定である。
【００１５】
請求項７に記載の発明は、請求項５に記載の吸収性物品であって、前記２つの第２接合領域のそれぞれの前記左右方向の幅が、前記上下方向において前記第１接合領域から離れるに従って漸次減少する。
【００１６】
請求項８に記載の発明は、請求項７に記載の吸収性物品であって、前記上下方向に配列されて前記左右方向に沿って前記前方部および前記後方部のそれぞれに接合されるとともに収縮することにより胴回りギャザーを形成する複数の胴回り弾性部材をさらに備え、前記複数の胴回り弾性部材のそれぞれが、前記２つの第２接合領域を避け、前記複数の胴回り弾性部材の複数の端部が、前記２つの第２接合領域のいずれか一方の左右両側において前記吸収体と重なるとともに前記上下方向において第１接合領域から離れるに従って前記左右方向の中心側に近づく。
【００１７】
請求項９に記載の発明は、請求項１ないし８のいずれかに記載の吸収性物品であって、前記吸収体の前記着用者側において前記左右方向の両側のエッジに沿って設けられた一対の側壁部をさらに備える。
【発明の効果】
【００１８】
本発明では、吸収性物品の装着を容易とすることができる。請求項３の発明では、吸収性物品の製造を容易とすることができる。請求項５ないし７の発明では、吸収体２の縒れを抑制することができる。請求項７の発明では、さらに、吸収性物品の装着をより容易とすることができる。請求項８の発明では、吸収性物品の着用者に対する密着性を向上することができる。請求項９の発明では、排泄物の漏出を防止することができる。
【発明を実施するための最良の形態】
【００１９】
図１は、本発明の第１の実施の形態に係る吸収性物品１の正面図（すなわち、着用者の腹側に位置する部位の図）であり、図２は吸収性物品１の背面図（すなわち、着用者の背側に位置する部位の図）である。図１および図２に示すように、吸収性物品１は、上端（すなわち、図１および図２中の上側の端部）に胴部開口１１を有し、下部に一対の脚部開口１２を有するパンツタイプの使い捨ておむつである。
【００２０】
図１および図２に示すように、吸収性物品１は、着用者の腹側および背側の肌に接する前方部４０１および後方部４０３を有する筒状の外装シート４、並びに、外装シート４の下側の開口（すなわち、胴部開口１１となる上側の開口とは反対側の開口）を跨いで前方部４０１および後方部４０３の着用者側に接合され、外装シート４の下端から下側に突出するとともに着用者の股間部に対向して着用者からの排泄物を吸収する吸収体２を備える。吸収性物品１では、前方部４０１の左右両側の部位（すなわち、前方部４０１の幅方向の両側の部位）が、後方部４０３の左右両側の部位（すなわち、後方部４０３の幅方向の両側の部位）にそれぞれ接合されることにより、外装シート４が筒状となっている。
【００２１】
図３は、吸収性物品１を展開した状態（すなわち、外装シート４の前方部４０１の左右両側の部位と後方部４０３の左右両側の部位とを分離して伸張した状態）で着用者側から見た平面図である。図３に示すように、吸収体２は、平面視において略矩形状であり、外装シート４の前方部４０１および後方部４０３は同形状の略長方形状とされる。吸収性物品１では、吸収体２の長手方向の両側の部位（すなわち、図３中の上下方向の両側の部位であり、図１および図２における吸収体２の上端部）が、外装シート４の前方部４０１および後方部４０３の着用者側にホットメルト接着剤により接合されて取り付けられる。吸収性物品１を展開した状態では、外装シート４の前方部４０１および後方部４０３は、互いに分離しており、吸収体２により連結されることとなる。
【００２２】
吸収性物品１は、吸収体２の着用者側において長手方向のほぼ全長に亘って長手方向に垂直な幅方向（すなわち、図３中の左右方向）の両側のエッジに沿って設けられた一対の側壁部３をさらに備える。一対の側壁部３のそれぞれには、長手方向に伸びる２本の弾性部材３１が接合されており、図３に示すように吸収性物品１を広げた状態では、弾性部材３１は伸張状態となっている。吸収性物品１では、弾性部材３１が収縮することにより、吸収体２の側方において側壁部３が着用者側に向かって立ち上がり、着用時に着用者の脚の付け根近傍に当接する立体ギャザーが形成される。
【００２３】
図４は、吸収性物品１を図３中に示すＡ−Ａの位置で切断した断面図である。図３および図４に示すように、吸収体２は、吸収性を有する吸収コア２２、吸収コア２２の内側（すなわち、着用者側）の主面を覆うトップシート２１、および、吸収コア２２の外側（すなわち、着用者側とは反対側）の主面を覆うバックシート２３を備える。図３中では、吸収コア２２の輪郭を太い破線にて示す。トップシート２１およびバックシート２３は、ホットメルト接着剤等により吸収コア２２の周囲にて互いに接合される。また、吸収体２の吸収コア２２の側方には側壁部３がホットメルト接着剤等により接合される。
【００２４】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２５】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２６】
バックシート２３は、撥水性または不透液性のプラスチックフィルムの外側（すなわち、吸収コア２２とは反対側）に不織布が積層された積層シートであり、トップシート２１を透過した水分、および、吸収コア２２に一旦吸収された水分が、バックシート２３の外側にしみ出すことを防止する。着用者の快適性の観点からは、プラスチックフィルムとして通気性を有するものが利用されることが好ましい。
【００２７】
吸収性物品１では、外装シート４の前方部４０１と後方部４０３との間において、着用者側とは反対側に吸収体２のバックシート２３が露出する。このため、バックシート２３の外側を不織布により形成することにより、吸収性物品１の肌触りを向上することができる。バックシート２３に利用される不織布は、例えば、スパンボンド不織布やメルトブロー不織布、ＳＭＳ（スパンボンド・メルトブロー・スパンボンド）不織布であり、必要に応じて撥水処理が施されてもよい。なお、バックシート２３としては、撥水性または不透液性の不織布やプラスチックフィルムが単体にて利用されてもよい。
【００２８】
側壁部３は、撥水性または不透液性の不織布（例えば、スパンボンド不織布やメルトブロー不織布、ＳＭＳ不織布）やプラスチックフィルム、あるいは、これらの複合材料により形成される。吸収性物品１の快適性向上の観点からは、側壁部３が通気性を有することが好ましい。弾性部材３１としては、例えば、ポリウレタン糸、帯状のポリウレタンフィルム、糸状または帯状の天然ゴム等が用いられる。
【００２９】
図４に示すように、外装シート４の前方部４０１は、第１シート４１、および、第１シート４１上に積層されてホットメルト接着剤等により第１シート４１に接合された第２シート４２を備える（後方部４０３においても同様）。外装シート４の第２シート４２上には、吸収体２のバックシート２３がホットメルト接着剤等により接合されている。本実施の形態では、第１シート４１および第２シート４２が、不織布により形成されることにより、外装シート４の肌触りが向上される。なお、第１シート４１および第２シート４２として、プラスチックフィルムやプラスチックフィルムと不織布との積層シートが利用されてもよい。
【００３０】
図１ないし図３に示すように、吸収性物品１は、また、胴部開口１１のエッジ（すなわち、筒状の外装シート４の上側の開口のエッジ）に沿って配置される複数の胴部弾性部材５１、一対の脚部開口１２のそれぞれのエッジ（すなわち、筒状の外装シート４の下側の開口のエッジ）に沿って配置される複数の脚部弾性部材５２、胴部弾性部材５１および脚部弾性部材５２の間において左右方向（すなわち、幅方向）に沿って前方部４０１に配置される複数の前方部弾性部材５３、並びに、胴部弾性部材５１および脚部弾性部材５２の間において左右方向に沿って後方部４０３に配置される複数の後方部弾性部材５４をさらに備える。
【００３１】
胴部弾性部材５１、脚部弾性部材５２、前方部弾性部材５３および後方部弾性部材５４は、外装シート４の第１シート４１と第２シート４２（図４参照）との間において、ゴム系のホットメルト接着剤等により第１シート４１および第２シート４２に接合されている。胴部弾性部材５１、脚部弾性部材５２、前方部弾性部材５３および後方部弾性部材５４としては、例えば、ポリウレタン糸、帯状のポリウレタンフィルム、糸状または帯状の天然ゴム等が用いられ、本実施の形態では、繊度３００〜２０００デシテックスの糸状部材である複数のポリウレタン糸が用いられる。なお、胴部弾性部材５１、脚部弾性部材５２、前方部弾性部材５３および後方部弾性部材５４の第１シート４１および第２シート４２に対する接合方法として、超音波接合や熱圧着等を採用することもできる。ただし、吸収性物品１の製造の簡素化等の観点からは、ホットメルト接着剤による接着が好ましい。
【００３２】
図３に示すように、複数の胴部弾性部材５１は、外装シート４の前方部４０１と後方部４０３とに個別に設けられており、前方部４０１および後方部４０３の左右両側の部位が接合されることにより、吸収性物品１の胴部開口１１（図１および図２参照）の全周に亘って配置されることとなる。胴部弾性部材５１は、胴部開口１１の周囲に伸張状態（好ましくは、１．１倍〜５．０倍に伸張された状態）にて接合され、収縮することにより外装シート４を収縮させて胴部開口ギャザーを形成する。
【００３３】
複数の脚部弾性部材５２は、外装シート４の前方部４０１および後方部４０３の左右両側の部位が接合されることにより、吸収性物品１の一対の脚部開口１２の周囲に配置されることとなる。脚部弾性部材５２は、伸張状態（好ましくは、１．１倍〜５．０倍に伸張された状態）にて脚部開口１２の周囲に接合され、収縮することにより外装シート４を収縮させて脚部開口ギャザーを形成する。
【００３４】
複数の前方部弾性部材５３および後方部弾性部材５４は、吸収性物品１の上下方向に配列されており、外装シート４の前方部４０１および後方部４０３の左右両側の部位が接合されることにより、吸収性物品１の胴回り部（すなわち、胴部開口１１と脚部開口１２との間の部位）の全周に亘って配置されることとなる。以下の説明では、前方部弾性部材５３および後方部弾性部材５４をまとめて「胴回り弾性部材」と呼ぶ。胴回り弾性部材は、胴部弾性部材５１および脚部弾性部材５２と同様に、外装シート４の前方部４０１および後方部４０３に伸張状態（好ましくは、１．１倍〜５．０倍に伸張された状態）にて接合され、収縮することにより外装シート４を収縮させて胴回りギャザー（すなわち、前方部ギャザーおよび後方部ギャザー）を形成する。
【００３５】
図５は、外装シート４を展開した状態で着用者側から見た平面図である。図５では、吸収体２を破線にて描いており、吸収体２と外装シート４との間に設けられる接合領域（本実施の形態では、吸収体２のバックシート２３（図４参照）と外装シート４の第２シート４２（図４参照）とを接合するホットメルト接着剤が塗布される領域）に平行斜線を付す。
【００３６】
図５に示すように、吸収体２と外装シート４との間には、吸収体２の長手方向の両端部が外装シート４の前方部４０１および後方部４０３にそれぞれ接合される２つの第１接合領域６１、並びに、２つの第１接合領域６１の間において吸収体２の一部が外装シート４の前方部４０１および後方部４０３にそれぞれ接合される２つの第２接合領域６２が設けられる。
【００３７】
２つの第１接合領域６１はそれぞれ、吸収体２の左右方向（すなわち、幅方向）のおよそ全幅に亘って設けられる。吸収体２と外装シート４との間の第１接合領域６１の左右両側、および、第１接合領域６１の第２接合領域６２とは反対側には、通常、吸収性物品１の製造時にホットメルト接着剤の塗布精度を考慮して必要となる僅かな幅のマージン（すなわち、接着剤が塗布されない領域）が設けられる。
【００３８】
外装シート４の前方部４０１における第２接合領域６２は、前方部４０１側の第１接合領域６１と前方部４０１の下端部（すなわち、図１中における下側の端部であり、図５中における前方部４０１の後方部４０３側の端部）との間において、吸収性物品１の上下方向（すなわち、図１中の上下方向）に連続して設けられる。また、後方部４０３における第２接合領域６２は、後方部４０３側の第１接合領域６１と後方部４０３の下端部（すなわち、図２中における下側の端部であり、図５中における後方部４０３の前方部４０１側の端部）との間において、吸収性物品１の上下方向（すなわち、図２中の上下方向）に連続して設けられる。各第２接合領域６２の第１接合領域６１とは反対側には、通常、吸収性物品１の製造時にホットメルト接着剤の塗布精度を考慮して必要となる僅かな幅のマージン（すなわち、接着剤が塗布されない領域）が設けられる。なお、図５では、図示の都合上、マージンの図示を省略している。
【００３９】
各第２接合領域６２の左右方向の幅は、吸収体２の長手方向（すなわち、吸収性物品１の上下方向）においておよそ一定であり、吸収体２の左右方向の幅の１５％以上６０％以下（より好ましくは３０％以上４０％以下）とされることが好ましい。本実施の形態では、吸収体２の幅は約２１０ｍｍであり、各第２接合領域６２の幅は約３０ｍｍ〜１３０ｍｍとされる。吸収性物品１では、２つの第２接合領域６２のそれぞれの左右方向の両側において、外装シート４と吸収体２とが非接合とされており、当該非接合領域の一部（すなわち、吸収体２の左右両側のエッジ近傍の部位）は、間に吸収体２を挟んで側壁部３の一部と重なっている。
【００４０】
吸収体２が外装シート４に接合される際には、ホットメルト接着剤が、吸収体２または外装シート４の第１接合領域６１および第２接合領域６２の全体にほぼ隙間なく塗布される（いわゆる、べた塗りされる）。なお、第１接合領域６１では、ホットメルト接着剤は、吸収体２のおよそ全幅に亘って塗布されるのであれば、例えば、左右方向に配列されたストライプ状に塗布されてもよい。また、第２接合領域６２でも同様に、ホットメルト接着剤は、第１接合領域６１と外装シート４の下端部との間において吸収性物品１の上下方向に連続して塗布されるのであれば、例えば、上下方向に配列されたストライプ状に塗布されてもよい。
【００４１】
外装シート４の前方部４０１および後方部４０３では、脚部弾性部材５２が第２接合領域６２を避けて第２接合領域６２の左右両側に設けられる。脚部弾性部材５２の第２接合領域６２側の部位は、第２接合領域６２の左右両側に設けられた非接合領域（すなわち、吸収体２と外装シート４とが接合されていない領域）において吸収体２と重なっている。また、前方部弾性部材５３および後方部弾性部材５４（すなわち、胴回り弾性部材）は、第１接合領域６１を避けて第１接合領域６１の左右両側に設けられる。
【００４２】
外装シート４の前方部４０１では、吸収性物品１の上下方向に配列された複数の前方部弾性部材５３のそれぞれが前方部４０１側の第２接合領域６２を避けるとともに、各前方部弾性部材５３の第２接合領域６２側の部位が、当該第２接合領域６２の左右両側の非接合領域において吸収体２と重なっている。後方部４０３でも同様に、吸収性物品１の上下方向に配列された複数の後方部弾性部材５４のそれぞれが後方部４０３側の第２接合領域６２を避けるとともに、各後方部弾性部材５４の第２接合領域６２側の部位が、当該第２接合領域６２の左右両側の非接合領域において吸収体２と重なっている。
【００４３】
以上に説明したように、吸収性物品１では、吸収体２と外装シート４との間の２つの第２接合領域６２において、吸収体２が外装シート４の前方部４０１および後方部４０３のそれぞれの下端部に接合されている。そして、前方部４０１および後方部４０３の下端部において、第２接合領域６２の左右両側に非接合領域（すなわち、吸収体２と外装シート４とが非接合とされる領域）が設けられる。これにより、吸収体２の前方部４０１と後方部４０３との間の左右両側の部位（すなわち、脚部開口１２近傍の部位）に対する外装シート４の制約を抑制し、当該部位を容易に変形して脚部開口１２の周長を大きくすることができる。その結果、吸収性物品１の装着時に、脚部開口１２に脚を容易に挿入することができ、吸収性物品１の装着を容易とすることができる。
【００４４】
また、吸収性物品１では、吸収体２と外装シート４との間の２つの第１接合領域６１において、吸収体２が全幅に亘って外装シート４の前方部４０１および後方部４０３に接合されている。このように、吸収体２の角部が外装シート４に接合されることにより、吸収性物品１の装着時に胴部開口１１から挿入された足先が吸収体２に引っ掛かってしまうことを防止することができ、吸収性物品１の装着をより容易とすることができる。
【００４５】
さらには、吸収体２の角部が外装シート４に接合されることにより、吸収性物品１の製造時に、外装シート４の前方部４０１および後方部４０３（となる予定のシート部材）上において吸収体２の角部が捲れてしまうことを防止することができ、吸収性物品１の製造を容易とすることができる。また、上述のように、吸収体２が外装シート４の前方部４０１および後方部４０３の下端部にも接合されることにより、吸収性物品１の製造時に、吸収体２と外装シート４の前方部４０１および後方部４０３とを容易に一体的に取り扱うことができるため、吸収性物品１の製造をより容易とすることができる。
【００４６】
吸収性物品１では、胴回り弾性部材（すなわち、前方部弾性部材５３および後方部弾性部材５４）が、第２接合領域６２を避けて（すなわち、第２接合領域６２と重なることなく）外装シート４に接合されることにより、第２接合領域６２において外装シート４が収縮することが防止され、胴回り弾性部材の収縮による吸収体２の縒れを抑制することができる。その結果、吸収体２の吸収コア２２の型崩れや破損を防止することができる。また、胴回り弾性部材の一部が、第２接合領域６２の左右両側において吸収体２と重なっていることにより、胴回り弾性部材の長さを十分に確保することができ、吸収性物品１の着用者に対する密着性を十分に維持することができる。さらには、胴回り弾性部材が第１接合領域６１を避けて外装シート４に接合されることにより、胴回り弾性部材の収縮による吸収体２の縒れをより一層抑制することができる。
【００４７】
また、脚部弾性部材５２が第２接合領域６２を避けるとともに第２接合領域６２の左右両側において吸収体２と重なっていることにより、吸収性物品１の脚部開口１２近傍の部位の着用者に対する密着性を十分に維持しつつ脚部弾性部材５２の収縮による吸収体２の縒れを抑制することができる。
【００４８】
吸収性物品１では、２つの第２接合領域６２がそれぞれ、第１接合領域６１と外装シート４の下端部との間において吸収性物品１の上下方向に連続して設けられることにより、吸収体２を、外装シート４と重なる部分のおよそ全長（すなわち、上述のマージンを除く全長）に亘って外装シート４に固定することができる。これにより、着用者の動作等により吸収体２が縒れてしまうことをより一層抑制することができる。
【００４９】
吸収性物品１では、第２接合領域６２の幅が吸収性物品１の上下方向においておよそ一定とされるため、スリット塗工等によるホットメルト接着剤の塗布において、第２接合領域６２に対するホットメルト接着剤の付与（すなわち、吸収体２または外装シート４の第２接合領域６２へのホットメルト接着剤の塗布）を容易とすることができ、第２接合領域６２における吸収体２と外装シート４との接合を容易とすることができる。その結果、吸収性物品１の製造を簡素化することができる。
【００５０】
また、第２接合領域６２の左右方向の幅が、吸収体２の幅の１５％（より好ましくは３０％以上）以上とされることにより、吸収体２を外装シート４に強固に固定することができる。さらには、第２接合領域６２の左右方向の幅が、吸収体２の幅の６０％以下（より好ましくは４０％以下）とされることにより、脚部開口１２の周長を十分に確保して吸収性物品１の装着をより容易とすることができるとともに、胴回り弾性部材（すなわち、前方部弾性部材５３および後方部弾性部材５４）の長さを十分に確保して吸収性物品１の着用者に対する密着性を確実に確保することができる。なお、吸収体２の左右方向の幅が長手方向において変化する場合、第２接合領域６２の幅の吸収体２の幅に対する割合は、吸収体２の長手方向の任意の位置において吸収体２を長手方向に垂直に切断した断面における割合を意味する。
【００５１】
外装シート４では、前方部４０１および後方部４０３のそれぞれが略長方形状とされることにより、吸収性物品１の製造を簡素化することができる。また、前方部４０１および後方部４０３が同形状とされることにより、吸収性物品１の製造をより一層簡素化することができる。
【００５２】
吸収性物品１では、吸収体２の両側のエッジ（すなわち、第２接合領域６２の左右両側の非接合領域のエッジ）に沿って設けられた一対の側壁部３により、着用者からの排泄物の漏出をより確実に防止することができる。
【００５３】
次に、本発明の第２の実施の形態に係る吸収性物品について説明する。図６は、第２の実施の形態に係る吸収性物品の外装シート４ａを展開した状態で着用者側から見た平面図である。図６では、図５と同様に吸収体２を破線にて描いており、吸収体２と外装シート４ａとの間に設けられる接合領域に平行斜線を付す。図６に示すように、第２の実施の形態に係る吸収性物品では、吸収体２と外装シート４ａとの間の接合領域の形状が第１の実施の形態と異なる。その他の構成は、図１ないし図５に示す吸収性物品１とほぼ同様であり、以下の説明において同符号を付す。
【００５４】
図６に示すように、第２の実施の形態に係る吸収性物品では、吸収体２と外装シート４ａとの間に、吸収体２の長手方向の両端部が外装シート４ａの前方部４０１および後方部４０３にそれぞれ接合される２つの第１接合領域６１、並びに、２つの第１接合領域６１の間において吸収体２の一部が外装シート４ａの前方部４０１および後方部４０３にそれぞれ接合される２つの第２接合領域６２ａが設けられる。
【００５５】
２つの第１接合領域６１はそれぞれ、第１の実施の形態と同様に、吸収体２の左右方向（すなわち、幅方向）のおよそ全幅に亘って設けられる。外装シート４ａの前方部４０１における第２接合領域６２ａは、前方部４０１側の第１接合領域６１と前方部４０１の下端部（すなわち、図６中における前方部４０１の後方部４０３側の端部）との間において、吸収性物品の上下方向に連続して設けられる。また、後方部４０３における第２接合領域６２ａは、後方部４０３側の第１接合領域６１と後方部４０３の下端部（すなわち、図６中における後方部４０３の前方部４０１側の端部）との間において、吸収性物品の上下方向に連続して設けられる。
【００５６】
各第２接合領域６２ａの左右方向の幅は、吸収体２の長手方向（すなわち、吸収性物品の上下方向）において第１接合領域６１（すなわち、各第２接合領域６２ａと連続する第１接合領域６１）から離れて吸収性物品の下側に向かうに従って漸次減少する。吸収性物品では、外装シート４ａの前方部４０１の左右両側の部位と後方部４０３の左右両側の部位とを分離して伸張した状態において、２つの第２接合領域６２ａのそれぞれの左右方向の両側にて外装シート４ａと吸収体２とが非接合とされており、当該非接合領域の一部は、間に吸収体２を挟んで側壁部３（図３参照）の一部と重なっている。吸収体２が外装シート４ａに接合される際には、ホットメルト接着剤が、吸収体２または外装シート４ａの第１接合領域６１および第２接合領域６２ａの全体にほぼ隙間なく塗布される（いわゆる、べた塗りされる）。
【００５７】
第２の実施の形態に係る吸収性物品では、第１の実施の形態と同様に、脚部弾性部材５２が第２接合領域６２を避けて第２接合領域６２の左右両側に設けられ、前方部弾性部材５３および後方部弾性部材５４（すなわち、胴回り弾性部材）が第１接合領域６１を避けて第１接合領域６１の左右両側に設けられる。
【００５８】
また、複数の前方部弾性部材５３および後方部弾性部材５４のそれぞれが、前方部４０１および後方部４０３の第２接合領域６２ａを避けるとともに、各前方部弾性部材５３および各後方部弾性部材５４の第２接合領域６２ａ側の部位が、第２接合領域６２ａの左右両側の非接合領域において吸収体２と重なっている。複数の前方部弾性部材５３および後方部弾性部材５４（すなわち、複数の胴回り弾性部材）の吸収体２と重なる複数の端部は、吸収性物品の上下方向において第１接合領域６１から離れるに従って、第２接合領域６２ａの左右両側のエッジに沿って吸収性物品の左右方向の中心側に近づくように配置されている。
【００５９】
以上に説明したように、第２の実施の形態に係る吸収性物品では、吸収体２と外装シート４ａとの間の２つの第２接合領域６２ａにおいて、吸収体２が外装シート４ａの前方部４０１および後方部４０３のそれぞれの下端部に接合されている。そして、前方部４０１および後方部４０３の下端部において、第２接合領域６２ａの左右両側に非接合領域（すなわち、吸収体２と外装シート４ａとが非接合とされる領域）が設けられる。これにより、第１の実施の形態と同様に、吸収体２の脚部開口１２（図１および図２参照）近傍の部位に対する外装シート４ａの制約を抑制し、当該部位を容易に変形して脚部開口１２の周長を大きくすることができる。その結果、吸収性物品の装着時に、脚部開口１２に脚を容易に挿入することができ、吸収性物品の装着を容易とすることができる。
【００６０】
また、吸収性物品では、第１の実施の形態と同様に、２つの第１接合領域６１において、吸収体２が全幅に亘って外装シート４ａの前方部４０１および後方部４０３に接合されている。このため、吸収性物品の装着時に胴部開口１１（図１および図２参照）から挿入された足先が吸収体２に引っ掛かってしまうことを防止することができ、吸収性物品の装着をより容易とすることができるとともに、吸収性物品の製造時に、外装シート４ａ上において吸収体２の角部が捲れてしまうことを防止することができ、吸収性物品の製造を容易とすることができる。
【００６１】
さらには、上述のように、吸収体２が外装シート４ａの前方部４０１および後方部４０３の下端部にも接合されることにより、吸収性物品の製造時に、吸収体２と外装シート４ａの前方部４０１および後方部４０３とを容易に一体的に取り扱うことができるため、吸収性物品の製造をより容易とすることができる。
【００６２】
第２の実施の形態に係る吸収性物品では、特に、各第２接合領域６２ａの幅が、吸収性物品の上下方向において第１接合領域６１から離れるに従って漸次減少することにより、外装シート４ａの下端部近傍において、吸収体２の左右両側の部位における外装シート４ａとの非接合領域を大きく確保することができ、外装シート４ａの下端部に形成される一対の脚部開口１２のそれぞれの周長を容易に大きくすることができる。その結果、吸収性物品の装着をより容易とすることができる。
【００６３】
また、一方で、吸収体２の脚部開口１２から離れた部位（すなわち、吸収体２の長手方向の両端部近傍）において第２接合領域６２ａを比較的大きくすることができるため、吸収体２を外装シート４ａに強固に固定することができ、着用者の動作等により吸収体２が縒れてしまうことをより一層抑制することができる。
【００６４】
吸収性物品では、第１の実施の形態と同様に、胴回り弾性部材（すなわち、前方部弾性部材５３および後方部弾性部材５４）が、第２接合領域６２ａを避けるとともに第２接合領域６２ａの左右両側の非接合領域において吸収体２と重なることにより、吸収性物品の着用者に対する密着性を十分に維持しつつ胴回り弾性部材の収縮による吸収体２の縒れを抑制することができる。また、２つの第２接合領域６２ａがそれぞれ、第１接合領域６１と外装シート４ａの下端部との間において吸収性物品の上下方向に連続して設けられることにより、着用者の動作等により吸収体２が縒れてしまうことをより一層抑制することができる。
【００６５】
第２の実施の形態に係る吸収性物品では、特に、複数の胴回り弾性部材の吸収体２と重なる複数の端部が、吸収性物品の上下方向において第１接合領域６１から離れるに従って吸収性物品の左右方向の中心側に近づくように配置されることにより、胴回り弾性部材の長さを増大させて吸収性物品の着用者に対する密着性をより向上することができる。
【００６６】
外装シート４ａでは、第１の実施の形態と同様に、前方部４０１および後方部４０３が同形状の略長方形状とされることにより、吸収性物品の製造を簡素化することができる。また、吸収体２の両側のエッジ（すなわち、第２接合領域６２ａの左右両側の非接合領域のエッジ）に沿って設けられた一対の側壁部３により、着用者からの排泄物の漏出をより確実に防止することができる。
【００６７】
以上、本発明の実施の形態について説明してきたが、本発明は上記実施の形態に限定されるものではなく、様々な変更が可能である。
【００６８】
上記実施の形態に係る吸収性物品では、第１接合領域６１および第２接合領域の左右両側に設けられる複数の胴回り弾性部材は、第１接合領域６１および第２接合領域の左右両側にそれぞれ個別の弾性部材が接合されることにより形成されてもよく、また、前方部４０１および後方部４０３の全幅に亘って複数の弾性部材が接合された後、各弾性部材の第１接合領域６１または第２接合領域と重なる部分を複数箇所にて切断して収縮力を喪失させることにより形成されてもよい（脚部弾性部材５２においても同様）。
【００６９】
胴回り弾性部材は、必ずしも第１接合領域６１および第２接合領域を避けて外装シートに接合される必要はなく、吸収性物品の胴回り部における密着性をより向上させる場合等、必要に応じて、第１接合領域６１や第２接合領域と重なりつつ外装シートに接合されてもよい。また、脚部弾性部材５２も同様に、第２接合領域と重なりつつ外装シートに接合されてもよい。
【００７０】
図７ないし図１０は、第１接合領域および第２接合領域の他の好ましい形状を示す外装シートの平面図である。図７ないし図１０では、図５と同様に吸収体２を破線にて描いており、吸収体２と外装シートとの間に設けられる接合領域に平行斜線を付す。
【００７１】
図７に示す外装シート４ｂでは、２つの第２接合領域６２ｂのそれぞれの第１接合領域６１側の部位の左右方向の幅が、吸収性物品の上下方向において第１接合領域６１から離れるに従って漸次減少し、第２接合領域６２ｂの外装シート４ｂ（すなわち、前方部４０１および後方部４０３）の下端側の部位の幅は、上下方向において一定とされる。これにより、上記実施の形態と同様に、吸収性物品の装着を容易とすることができる。
【００７２】
図８に示す外装シート４ｃでは、第２接合領域６２ｃの左右方向の幅が、吸収性物品の上下方向において第１接合領域６１から離れるに従って段階的に減少する。これにより、吸収性物品の装着を容易とすることができるとともに、第２接合領域６２ｃが矩形状の領域の集合となっているため、第２接合領域６２ｃに対するホットメルト接着剤の塗布を容易とすることもできる。
【００７３】
図９に示す外装シート４ｄでは、外装シート４ｄの下端部においてのみ、第２接合領域６２ｄの左右両側に非接合領域が設けられ、その他の部位においては、第２接合領域６２ｄは、第１接合領域６１と同様に吸収体２の全幅に亘って設けられる。また、図１０に示す外装シート４ｅでは、２つの矩形状の第２接合領域６２ｅが、第１接合領域６１から離れて外装シート４ｅの下端部に設けられ、第２接合領域６２ｅの左右両側、および、第２接合領域６２ｅと第１接合領域６１との間に非接合領域が設けられる。いずれの場合も、上記実施の形態と同様に、吸収性物品の装着を容易とすることができる。
【００７４】
上述の吸収性物品のいずれの外装シートにおいても、前方部４０１および後方部４０３は必ずしも同形状である必要はなく、また、前方部４０１および後方部４０３のそれぞれの形状も略長方形状には限定されない。例えば、後方部４０３の上下方向の長さが前方部４０１よりも大きくされ、後方部４０３の下端部が前方部４０１の下端縁よりも下側に突出する構造とされてもよい。
【００７５】
吸収性物品の第１接合領域６１および第２接合領域では、ホットメルト接着剤は、例えば、格子状やドット状に塗布されてもよく、上下方向または左右方向に伸びるスパイラル状に塗布されてもよい。また、第１接合領域６１および第２接合領域における吸収体２と外装シートとの接合は、ホットメルト接着剤によるものには限定されず、例えば、超音波接合や熱圧着により行われてもよい。
【図面の簡単な説明】
【００７６】
【図１】第１の実施の形態に係る吸収性物品の正面図である。
【図２】吸収性物品の背面図である。
【図３】吸収性物品を展開した状態の平面図である。
【図４】吸収性物品の断面図である。
【図５】外装シートを展開した状態の平面図である。
【図６】第２の実施の形態に係る吸収性物品の外装シートを展開した状態の平面図である。
【図７】他の吸収性物品の外装シートを展開した状態の平面図である。
【図８】他の吸収性物品の外装シートを展開した状態の平面図である。
【図９】他の吸収性物品の外装シートを展開した状態の平面図である。
【図１０】他の吸収性物品の外装シートを展開した状態の平面図である。
【符号の説明】
【００７７】
１    吸収性物品
２    吸収体
３    側壁部
４，４ａ〜４ｅ    外装シート
１１    胴部開口
１２    脚部開口
５１    胴部弾性部材
５２    脚部弾性部材
５３    前方部弾性部材
５４    後方部弾性部材
６１    第１接合領域
６２，６２ａ〜６２ｅ    第２接合領域
４０１    前方部
４０３    後方部
【図１】
2008194161.tif 000003
【図２】
2008194161.tif 000004
【図３】
2008194161.tif 000005
【図４】
2008194161.tif 000006
【図５】
2008194161.tif 000007
【図６】
2008194161.tif 000008
【図７】
2008194161.tif 000009
【図８】
2008194161.tif 000010
【図９】
2008194161.tif 000011
【図１０】
2008194161.tif 000012